(57)【特許請求の範囲】
【請求項１】
人体に影響を及ぼす物質を取り扱う作業を行う作業空間を備えた装置の排気部に取り外し可能に接続されて前記排気部から送り出されるエア中から前記物質を除去するフィルタ装置であって、
前記接続により排気部に連通される一次側開口を備えると共に、この一次側開口の後方に二次側開口を備えてなる胴部と、
前記胴部内に納められるろ材と、
前記一次側開口の前方にあって前記胴部に駆動用軸を介して前後方向に移動可能に支持されると共に、後方に移動されきった位置で前記一次側開口を閉鎖するように構成された蓋体とを備え、
外周に雄ネジを備えた軸体と、この軸体の前記雄ネジを内部に形成された雌ネジに螺進退可能にかみ合わせて前記軸体と組み合わされたスリーブ体とを備えてなる前記駆動用軸の前端部を前記蓋体に止着させると共に、前記駆動用軸の後端部側を前記胴部の前記二次側開口側においてこの後端部側から前記駆動用軸に外部より回転力を作用可能な状態で前記胴部に回転可能に支持させており、
しかも、前記駆動用軸の側方において、前端部を前記蓋体に止着させて後方に延びるガイド軸を前記胴部に前後動可能に支持させてなり、
さらに、前記胴部を、前記エアを通過させないように構成された中間空間の両側にそれぞれ前記一次側開口及び前記二次側開口を備えた空間を形成させた構成とすると共に、前記駆動用軸と前記ガイド軸とを前記中間空間において前記胴部に支持させるようにしてなる、フィルタ装置。
【請求項２】
前記駆動用軸を挟んだ両側にそれぞれ前記ガイド軸を備えてなる、請求項１に記載のフィルタ装置。
【請求項３】
前記胴部の前記一次側開口側の外面には、前記一次側開口を内方に位置させる周回シール部材が備えられていると共に、
前記周回シール部材の外周部を前記作業空間の外側において前記排気部を巡る外面に対する第一シール部分とし、
前記周回シール部材の内周部を前記蓋体が前記一次側開口を閉鎖したときに前記蓋体の内面に接する第二シール部分としてなる、請求項１又は請求項２に記載のフィルタ装置。
【発明の詳細な説明】
【技術分野】
【０００１】
この発明は、人体に影響を及ぼす物質を取り扱う作業を行う作業空間を備えた装置の排気部に取り外し可能に接続されて前記排気部から送り出されるエア中から前記物質を除去するフィルタ装置に関する。
【背景技術】
【０００２】
いわゆるハザード物質などの人体に影響を及ぼす物質を取り扱う作業を行う作業空間からの排気中より前記物質を除去するフィルタユニットにおいて、これを構成するフィルタを密封したままの状態で交換できるようにしたものとして、特許文献１に示されるものがある。
【０００３】
この特許文献１のものにあっては、フィルタユニットを構成するハウジング形成させたフィルタを取り出し可能とする開口に袋状のバッグの口を取り付け、フィルタの交換時は取り外したフィルタをバック内に収納しバックの口とフィルタの収納箇所との間でバックを密封して切断することで、フィルタを密封したままの状態で交換可能としている。
【先行技術文献】
【特許文献】
【０００４】
【特許文献１】特公平７−６３５７６号公報
【発明の概要】
【発明が解決しようとする課題】
【０００５】
前記特許文献１のものは、フィルタとは別体のバッグを要し、交換作業において前記密封と切断を必要とする。
【０００６】
この発明が解決しようとする主たる問題点は、フィルタ装置の交換作業の過程でフィルタ装置に捕捉された前記物質から作業者を可及的に保護する構造を、この種のフィルタ装置の構造の複雑化を招くことなく、この種のフィルタ装置に適切に備えさせることにある。
【課題を解決するための手段】
【０００７】
前記課題を達成するために、この発明にあっては、フィルタ装置を、人体に影響を及ぼす物質を取り扱う作業を行う作業空間を備えた装置の排気部に取り外し可能に接続されて前記排気部から送り出されるエア中から前記物質を除去するフィルタ装置であって、
前記接続により排気部に連通される一次側開口を備えると共に、この一次側開口の後方に二次側開口を備えてなる胴部と、
前記胴部内に納められるろ材と、
前記一次側開口の前方にあって前記胴部に駆動用軸を介して前後方向に移動可能に支持されると共に、後方に移動されきった位置で前記一次側開口を閉鎖するように構成された蓋体とを備え、
外周に雄ネジを備えた軸体と、この軸体の前記雄ネジを内部に形成された雌ネジに螺進退可能にかみ合わせて前記軸体と組み合わされたスリーブ体とを備えてなる前記駆動用軸の前端部を前記蓋体に止着させると共に、前記駆動用軸の後端部側を前記胴部の前記二次側開口側においてこの後端部側から前記駆動用軸に外部より回転力を作用可能な状態で前記胴部に回転可能に支持させており、
しかも、前記駆動用軸の側方において、前端部を前記蓋体に止着させて後方に延びるガイド軸を前記胴部に前後動可能に支持させてなり、
さらに、前記胴部を、前記エアを通過させないように構成された中間空間の両側にそれぞれ前記一次側開口及び前記二次側開口を備えた空間を形成させた構成とすると共に、前記駆動用軸と前記ガイド軸とを前記中間空間において前記胴部に支持させるようにしてなる、ものとした。
【０００８】
蓋体を一次側開口の前方に蓋体の内面と一次側開口との間に間隔を開けて位置させることで、前記排気部からのエアを一次側開口からフィルタ装置内に導入しこのエアが二次側開口から流出されるまでの間に前記ろ材によって前記物質を捕捉・除去することが可能となる。フィルタ装置の交換は、前記蓋体を移動させて前記一次側開口を閉塞させることで、フィルタ装置内のろ材に捕捉された物質から交換作業者を保護した状態でなすことができる。蓋体の前記移動は、フィルタ装置と排気部との接続を解く先立ち、フィルタ装置の二次側開口側から駆動用軸の後端部に回転力を作用させることでなすことができる。駆動用軸の後端部に回転力を作用させると、前記ガイド軸の作用により、駆動用軸を構成するスリーブ体及び軸体のいずれか一方が回転し、これらの他方を蓋体を前記一次側開口を閉鎖する位置に移動させる向きに移動させることができる。
【０００９】
前記駆動用軸を挟んだ両側にそれぞれ前記ガイド軸を備えさせておくことが、この発明の態様の一つとされる。このようにした場合、二箇所のガイド軸間において前記駆動用軸に前記回転力を作用させたときに、前記スリーブ体及び軸体の非回転側を安定的に胴部に支持させることができ、この回転力の作用により蓋体を前記閉塞位置にスムースに移動させることができる。
【００１０】
また、前記胴部の前記一次側開口側の外面に、前記一次側開口を内方に位置させる周回シール部材を備えさせると共に、
前記周回シール部材の外周部を前記作業空間の外側において前記排気部を巡る外面に対する第一シール部分とし、
前記周回シール部材の内周部を前記蓋体が前記一次側開口を閉鎖したときに前記蓋体の内面に接する第二シール部分とするようにすることが、この発明の態様の一つとされる。
【００１１】
このようにした場合、前記周回シール部によって、排気部からのエアを漏れなく一次側開口からフィルタ装置内に導入可能となる。それと共に、蓋体を一次側開口を閉鎖する位置に移動させたときは、蓋体の内面に前記周回シール部材の第二シール部を密着させてフィルタ装置の一次側開口を気密状態に閉鎖可能となる。
【発明の効果】
【００１２】
この発明によれば、フィルタ装置の交換作業の過程でフィルタ装置に捕捉された前記物質から作業者を可及的に保護する構造を、この種のフィルタ装置の構造の複雑化を招くことなく、この種のフィルタ装置に適切に備えさせることができる。
【図面の簡単な説明】
【００１３】
【図１】図１は、この発明の一実施の形態にかかるフィルタ装置の斜視構成図である。
【図２】図２は、前記フィルタ装置の使用状態をアイソレーター装置の作業空間側から見て示した斜視構成図である。
【図３】図３は、前記フィルタ装置の使用状態をアイソレーター装置の作業空間の外側から見て示した斜視構成図である。
【図４】図４は、前記フィルタ装置の使用状態をアイソレーター装置の作業空間側から見て示した斜視構成図であり、蓋体によって一次側開口を閉鎖した様子を示している。
【図５】図５は、前記フィルタ装置の使用状態をアイソレーター装置の作業空間の外側から見て示した側面構成図である。
【図６】図６は図５におけるＡ−Ａ線位置での切断端面構成図である。
【図７】図７は図５におけるＢ−Ｂ線位置での切断端面構成図である。
【図８】図８は図５におけるＣ−Ｃ線位置での切断端面構成図である。
【図９】図９は図５におけるＡ−Ａ線位置での切断端面構成図であり、蓋体によって一次側開口を閉鎖した様子を示している。
【図１０】図１０は図５におけるＢ−Ｂ線位置での切断端面構成図であり、蓋体によって一次側開口を閉鎖した様子を示している。
【図１１】図１１は図５におけるＣ−Ｃ線位置での切断端面構成図であり、蓋体によって一次側開口を閉鎖した様子を示している。
【発明を実施するための形態】
【００１４】
以下、図１〜図１１に基づいて、この発明の典型的な実施の形態について、説明する。この実施の形態にかかるフィルタ装置１は、人体に影響を及ぼす物質を取り扱う作業を行う作業空間１００を備えた装置におけるこの作業空間１００からのエアの排気部１０１に取り外し可能に接続されて前記排気部１０１から送り出されるエア中から前記物質を除去するものである。
【００１５】
典型的には、かかるフィルタ装置１は、内部に前記作業空間１００を備えたアイソレーター装置などにおける排気部１０１に取り外し可能に接続されて用いられる。
【００１６】
図２にアイソレーター装置の要部の概要を示す。図２中符号１００で示すのは作業空間（庫内）、符号１０２で示すのは作業空間１００を形成する内壁、符号１０３で示すのは作業空間１００の外側（庫外）にエアの流路１０４を形成させる外壁である。排気部１０１は前記内壁１０２に形成されている。ブロア、ファンなどの図示しない空気流を作り出す手段によって、作業空間１００から前記流路１０４への空気流が常時生じるようになっている（この空気流の向きを図２において矢印で示す。）。排気部１０１は前記内壁１０２に形成された窓穴となっている。フィルタ装置１は、前記流路１０４側にあって、その一次側開口１’を前記排気部１０１に接続させる態様となっている。より具体的には、フィルタ装置１は、排気部１０１からのエアは全てフィルタ装置１の一次側開口１’からフィルタ装置１内に流入するように、排気部１０１に接続される。フィルタ装置１の交換が必要となったときは、ブロアなどの駆動を止めて空気流をなくし、次いで、前記外壁１０３に形成された図示しない点検口を開けてフィルタ装置１の後述の駆動用軸５に回転力を作用させ後述の蓋体４によって一次側開口１’を閉鎖し、次いで、この蓋体４の外面４ｂに付着した前記物質を洗浄などにより取り除き、この後に前記接続を解いてアイソレーター装置からフィルタ装置１を取り外す。これによって交換作業の過程で前記物質から作業者を可及的に保護することが可能とされる。
【００１７】
図示の例では、フィルタ装置１は、六面体状を呈している。図示の例では、フィルタ装置１は、その前面１ａに一次側開口１’を持ち、その後面１ｂに二次側開口１”を持ち、上面１ｃ、底面１ｄ、左右の側面１ｅを持った形態となっている。図示の例では、アイソレーター装置の内壁１０２の外面１０２ｂ（内壁１０２における前記作業空間１００の外側となる前記流路１０４内の面）には、フィルタ装置１の底面１ｄが載置される座板１０５と、フィルタ装置１の左右の側面１ｅの一方が突き当たる位置決め板１０６とが備えられている。また、前記内壁１０２に一端を止着させて水平方向に突き出す軸体１０７ａと、この軸体１０７ａに沿って移動可能にこの軸体１０７ａに組み合わされたクランプ体１０７ｂと、このクランプ体１０７ｂよりも後方において前記軸体１０７ａにネジ付けられたナット体１０７ｃとからなる接続用装置１０７が複数備えられている。図示の例では、排気部１０１は、四角形の窓穴となっている。排気部１０１の下辺下に前記座板１０５が備えられ、排気部１０１の左右の辺の一方の外側に前記位置決め板１０６が備えられ、さらに、排気部１０１の各辺の外側に前記接続用装置１０７が二個づつ備えられている。フィルタ装置１の前面１ａによって排気部１０１が塞がれるように前記座板１０５と前記位置決め板１０６とによってフィルタ装置１を位置づけた状態から、各接続用装置１０７のナット体１０７ｃを軸体１０７ａの一端側に螺進させてクランプ体１０７ｂによってフィルタ装置１の後面１ｂを押圧してフィルタ装置１の前面１ａの外周にこの外周を巡るように備えられてその内方に一次側開口１’を位置させる後述の周回シール部材８を前記排気部１０１を巡る内壁１０２の外面に密着させることで、フィルタ装置１の前記接続がなされるようになっている。フィルタ装置１の交換時には、前記接続用装置１０７のナット体１０７ｃを他端側に螺退させてクランプ体１０７ｂの前記押圧を解くこととなる。
【００１８】
かかるフィルタ装置１は、胴部２と、ろ材３と、蓋体４と、駆動用軸５と、ガイド軸６とを備えている。
【００１９】
胴部２は、前記接続により排気部１０１に連通される一次側開口１’を備えると共に、この一次側開口１’の後方に二次側開口１”を備えている。
【００２０】
図示の例では、この胴部２によってフィルタ装置１は六面体状を呈している。図示の例では、胴部２は、前記左右の側面１ｅ間に二枚の仕切り部２ａを有し、これにより、胴部２内は三つの空間に分割されている。仕切り部２ａは前記側面１ｅと実質的に同じ大きさを持ち、その上端を前記上面１ｃに一体化させ、かつ、その下端を前記底面１ｄに一体化させている。二枚の仕切り部２ａ間の空間（以下、中間空間２ｂという。）は、前記前面１ａ及び後面１ｂにおいてぞれぞれ、閉塞板２ｃによって閉塞されており、この中間空間２ｂには前記排気部１０１からのエアは通過しないようになっている。前記排気部１０１からのエアはこの中間空間２ｂを挟んだ両側においてフィルタ装置１内を通過するようになっている。すなわち、図示の例では、前記前面１ａにおける前記中間空間２ｂを挟んだ両側にそれぞれ一次側開口１’が形成され、前記後面１ｂにおける前記中間空間２ｂを挟んだ両側にそれぞれ二次側開口１”が形成されている。図示の例では、中間空間２ｂの左右寸法は一次側開口１’及び二次側開口１”の左右寸法よりも小さくなっている。
【００２１】
ろ材３は、前記胴部２内に納められてエアが前記胴部２を通過する過程でエア中の前記物質を捕捉・除去するものであり、この機能を備えるものであれば良く、この機能を備える公知のろ材３から必要に応じて選択される。図示の例では、ろ材３は、胴部２における前記中間空間２ｂを挟んだ両側にそれぞれ充填され、前記排気部１０１からのエアに含まれる前記物質をこのエアが前記中間空間２ｂの両側においてそれぞれ胴部２を通過する過程で捕捉・除去するようになっている。
【００２２】
なお、図示の例では、一次側開口１’及び二次側開口１”にはメッシュ体７が張り込まれており、ろ材３は胴部２内にあって一次側開口１’を覆うメッシュ体７と二次側開口１”を覆うメッシュ体７との間に保持されるようになっている。
【００２３】
また、図示の例では、フィルタ装置１の前面１ａでは、中間空間２ｂの閉塞板２ｃよりも一次側開口１’のメッシュ体７はやや後方に位置しており、両者の間には段差が形成されている。
【００２４】
蓋体４は、前記一次側開口１’の前方にあって前記胴部２に駆動用軸５を介して前後方向に移動可能に支持されると共に、後方に移動されきった位置（以下、閉塞位置と称する。）で前記一次側開口１’を閉鎖するように構成されている。
【００２５】
図示の例では、蓋体４は、四角形の板状を呈している。蓋体４は、その一面（内面４ａ）をフィルタ装置１の前面１ａに向き合わせると共に、その各辺をフィルタ装置１の前面１ａの対応する辺に平行とするようにして、配されている。蓋体４の上下寸法はフィルタ装置１の前面１ａの上下寸法よりもやや小さく、蓋体４の左右寸法はフィルタ装置１の前面１ａの左右寸法よりもやや小さくなっている。
【００２６】
駆動用軸５は、外周に雄ネジ５ａ’を備えた軸体５ａと、この軸体５ａの前記雄ネジ５ａ’を内部に形成された雌ネジ５ｂ’に螺進退可能にかみ合わせて前記軸体５ａと組み合わされたスリーブ体５ｂとを備えてなる（図６参照）。
【００２７】
図示の例では、スリーブ体５ｂは、一端から軸体５ａを螺進退可能に受け入れると共に、この一端側の内部に軸体５ａの雄ネジ５ａ’にかみ合う雌ネジ５ｂ’を備えた構成となっている。軸体５ａが最もスリーブ体５ｂ内から突き出した状態（図６の状態）において駆動用軸５の全長はもっとも長くなる。
【００２８】
駆動用軸５は、その前端部５ｃを前記蓋体４に止着させると共に、その後端部５ｄ側を前記胴部２の前記二次側開口１”側においてこの後端部５ｄ側から前記駆動用軸５に外部より回転力を作用可能な状態で前記胴部２に回転可能に支持されている。
【００２９】
図示の例では、軸体５ａのスリーブ体５ｂへの受け入れ側と反対の端部が蓋体４に止着された駆動用軸５の前端部５ｃとなり、スリーブ体５ｂの他端が胴部２に回転可能に支持された駆動用軸５の後端部５ｄとなっている。図示の例では、軸体５ａは、蓋体４の中央に形成させた穴を通じて蓋体４の外面４ｂ側からボルト５ｅを軸体５ａの前記端部にネジ付けることで蓋体４に止着されている。
【００３０】
図示の例では、駆動用軸５は、中間空間２ｂの上下方向中程の位置において、胴部２に支持されている。具体的には、前記軸体５ａは、中間空間２ｂにおけるフィルタ装置１の前面１ａの一部をなす閉塞板２ｃに前後動可能に支持されている。軸体５ａは前記閉塞板２ｃに取り付けられた筒状受け具５ｆ内を通過し、この筒状受け具５ｆを介して前記前面１ａの一部をなす閉塞板２ｃに前後動可能に支持されている。また、前記スリーブ体５ｂは、中間空間２ｂにおけるフィルタ装置１の後面１ｂの一部をなす閉塞板２ｃに回転可能に支持されている。スリーブ体５ｂの他端側は、前記後面１ｂの一部をなす閉塞板２ｃに取り付けられた軸受け具５ｇを通過しており、この軸受け具５ｇを介してスリーブ体５ｂは前記後面１ｂの一部をなす閉塞板２ｃに前後方向に沿った中心軸ｘ（図６参照）を中心とした回転を可能とするように支持されている。図示の例では、前記後面１ｂの一部をなす閉塞板２ｃの外側に位置される駆動用軸５の後端部５ｄとしてのスリーブ体５ｂの他端に図示しないボックスレンチの先端を嵌め、このボックスレンチを操作することでスリーブ体５ｂに回転力を作用できるようになっている。図示の例では、後述のガイド軸６によって前記軸体５ａは前後動が可能で回転は不能となっていることから、スリーブ体５ｂを回転させると軸体５ａは螺進退され、一次側開口１’が開放された状態からスリーブ体５ｂを回転させて蓋体４を前記閉塞位置に移動させて前記一次側開口１’を閉鎖することができるようになっている。また、前記筒状受け具５ｆ及び軸受け具５ｇと閉塞板２ｃとの接合箇所は気密状態にシールされ、筒状受け具５ｆと軸体５ａとの間は図６中符号５ｈで示されるシールリングにより、軸受け具５ｇとスリーブ体５ｂとの間は図６中符号５ｉで示されるシールリングにより、それぞれ気密状態にシールされる。
【００３１】
ガイド軸６は、前記駆動用軸５の側方にあって、その前端部を前記蓋体４の内面４ａに止着させて後方に延び、前記胴部２に前後動可能に支持されている。
【００３２】
図示の例では、ガイド軸６は、中間空間２ｂにおける前記駆動用軸５の支持位置の側方において、胴部２に支持されている。図示の例では、前記駆動用軸５を挟んだ両側にそれぞれ前記ガイド軸６が備えられている。具体的には、前記駆動用軸５の上側と下側とにおいてそれぞれ、ガイド軸６が中間空間２ｂにおけるフィルタ装置１の前面１ａの一部をなす閉塞板２ｃに前後動可能に支持されている。ガイド軸６は前記閉塞板２ｃに取り付けられた筒状受け具６ａ内を通過し、この筒状受け具６ａを介して前記前面１ａの一部をなす閉塞板２ｃに前後動可能に支持されている。ガイド軸６は軸体５ａより短い。ガイド軸６は蓋体４に形成させた穴を通じて蓋体４の外面４ｂ側からボルト６ｂをガイド軸６の前端部にネジ付けることで蓋体４に止着されている。ガイド軸６の後端部は常時中間空間２ｂ内に位置されると共に、この後端には抜け止め用のフランジ６ｃが形成されている。前記筒状受け具６ａと閉塞板２ｃとの接合箇所は気密状態にシールされ、筒状受け具６ａとガイド軸６との間は図７中符号６ｄで示されるシールリングにより気密状態にシールされる。
【００３３】
蓋体４を一次側開口１’の前方において蓋体４の内面４ａと一次側開口１’との間に間隔を開けた位置（以下、開放位置と称する。）に位置させることで、前記排気部１０１からのエアを一次側開口１’からフィルタ装置１内に導入しこのエアが二次側開口１”から流出されるまでの間に前記ろ材３によって前記物質を捕捉・除去することが可能となる（図２）。フィルタ装置１の交換は、蓋体４を前記閉塞位置に移動させて前記一次側開口１’を閉塞させることで、フィルタ装置１内のろ材３に捕捉された物質から交換作業者を保護した状態でなすことができる（図４）。蓋体４の閉塞位置への移動は、フィルタ装置１と排気部１０１との接続を解くに先立ち、フィルタ装置１の二次側開口１”側から駆動用軸５の後端部５ｄに回転力を作用させることでなすことができる。駆動用軸５の後端部５ｄに回転力を作用させると、前記ガイド軸６の作用により、駆動用軸５を構成するスリーブ体５ｂ及び軸体５ａのいずれか一方が回転し、これらの他方を蓋体４を前記閉塞位置に移動させる向きに移動させることができる。図示の例では、ガイド軸６は、駆動用軸５を挟んだ両側にそれぞれ備えられていることから、二箇所のガイド軸６間において前記駆動用軸５に前記回転力を作用させたときに、前記スリーブ体５ｂ及び軸体５ａの非回転側（図示の例では、軸体５ａ側）を安定的に胴部２に支持させることができ、この回転力の作用により蓋体４を前記閉塞位置にスムースに移動させることができる。
【００３４】
前記駆動用軸５への回転力の作用は、前記ボックスレンチなどの手動工具や電動工具によって行うことができる。また、図示は省略するが、フィルタ装置１に別途モータと、このモータの回転力を前記駆動用軸５の後端部５ｄに伝達させる手段と、モータの制御手段を付加し、前記蓋体４をこのモータの駆動により移動させるようにしてあっても良い。
【００３５】
なお、図示は省略するが、軸体５ａのスリーブ体５ｂへの受け入れ側と反対の端部が駆動用軸５の後端部５ｄとなり、スリーブ体５ｂの他端を蓋体４に止着させた駆動用軸５の前端部５ｃとなるようにすることもできる。この場合、軸体５ａに回転力を作用させることでスリーブ体５ｂが前後動されることとなる。
【００３６】
また、この実施の形態にあっては、前記胴部２の前記一次側開口１’側の外面には、前記一次側開口１’を内方に位置させる周回シール部材８が備えられている。それと共に、前記周回シール部材８の外周部が前記作業空間１００の外側において前記排気部１０１を巡る外面１０２ｂに対する第一シール部分８ａとなり、前記周回シール部材の内周部が前記蓋体４が前記一次側開口１’を閉鎖したときに前記蓋体４の内面４ａに接する第二シール部分８ｂとなるようにしてある。
【００３７】
図示の例では、フィルタ装置１の前面１ａの外周部は、四角形の枠状をなす周回シール部材８によって縁取られている。フィルタ装置１の一次側開口１’はこの周回シール部材８の内方に位置されるようになっている。そして、フィルタ装置１は、前記排気部１０１を取り巻く内壁１０２の外面に周回シール部材８の第一シール部分８ａを密着させて前記一次側開口１’をこの排気部１０１に接続させるようになっている。これにより、排気部１０１からのエアを漏れなく一次側開口１’からフィルタ装置１内に導入可能となっている。また、蓋体４を閉塞位置に移動させたときは、蓋体４の内面４ａに周回シール部材８の第二シール部分８ｂを密着させてフィルタ装置１の一次側開口１’を気密状態に閉鎖可能となっている。図示の例では、周回シール部材８は、帯状をなすゴム状弾性を備えたシートの一面をフィルタ装置１の前面１ａの外周に接着することによってフィルタ装置１に備え付けられている。
【００３８】
なお、当然のことながら、本発明は以上に説明した実施態様に限定されるものではなく、本発明の目的を達成し得るすべての実施態様を含むものである。
【符号の説明】
【００３９】
１’  一次側開口
１”  二次側開口
２  胴部
４  蓋体
５  駆動用軸
５ａ  軸体
５ａ’  雄ネジ
５ｂ  スリーブ体
５ｂ’  雌ネジ
５ｃ  前端部
５ｄ  後端部
【要約】      （修正有）【課題】フィルタ装置の交換作業の過程で、フィルタ装置に捕捉された物質から作業者を可及的に保護する構造を備えたフィルタ装置の提供。【解決手段】一次側開口１’の前方にあって胴部２に駆動用軸５を介して前後方向に移動可能に支持されると共に、後方に移動されきった位置で一次側開口１’を閉鎖する蓋体４とを備える。軸体５ａの雄ネジ５ａ’を内部に形成された雌ネジ５ｂ’に螺進退可能にかみ合わせて軸体５ａと組み合わされたスリーブ体５ｂとを備えてなる駆動用軸５の前端部５ｃを前記蓋体４に止着させると共に、駆動用軸５の後端部５ｄ側を胴部２の二次側開口１”側においてこの後端部５ｄ側から駆動用軸５に外部より回転力を作用可能な状態で胴部２に回転可能に支持させている。駆動用軸５の側方に、前端部５ｃを蓋体４に止着させて後方に延びるガイド軸を胴部２に前後動可能に支持させてなる。【選択図】図６【図１】
0006776466.tif 000002
【図２】
0006776466.tif 000003
【図３】
0006776466.tif 000004
【図４】
0006776466.tif 000005
【図５】
0006776466.tif 000006
【図６】
0006776466.tif 000007
【図７】
0006776466.tif 000008
【図８】
0006776466.tif 000009
【図９】
0006776466.tif 000010
【図１０】
0006776466.tif 000011
【図１１】
0006776466.tif 000012